【手続補正書】
【提出日】平成18年10月16日(2006.10.16)
【手続補正１】
【補正対象書類名】特許請求の範囲
【補正対象項目名】請求項６
【補正方法】変更
【補正の内容】
【請求項６】
回転部材の凹凸部は、薄板状の外周面が円弧形状又は楕円形状であることを特徴とする請求項１、２、３、４又は請求項５記載の木質ペレット燃料燃焼装置。
【手続補正２】
【補正対象書類名】特許請求の範囲
【補正対象項目名】請求項７
【補正方法】変更
【補正の内容】
【請求項７】
水平方向の水平スリットと垂直方向の垂直スリットに繋がるスリット部を通過中の回転部材の凹凸部と各スリットとの隙間は略１．５ｍｍとしたことを特徴とする、請求項１、２、３、４、５又は請求項６記載の木質ペレット燃料燃焼装置。
【手続補正３】
【補正対象書類名】明細書
【補正対象項目名】００１１
【補正方法】変更
【補正の内容】
【００１１】
そこで本発明では、燃焼皿上の灰を確実に除去すると共に、回転駆動部の部品点数を極力少なくしてコストの低減と故障の確率を減少し、しかも回転駆動部自体が常に冷却されるため、高温に適応できる構成にする必要がないので、コスト面でも優れる灰の除去装置を備える木質ペレット燃料燃焼装置を提供することを目的とする。
【手続補正４】
【補正対象書類名】明細書
【補正対象項目名】００１２
【補正方法】変更
【補正の内容】
【００１２】
上記目的を達成するため、本発明は請求項１ないし請求項７に係る木質ペレット燃料燃焼装置を提案する。
【手続補正５】
【補正対象書類名】明細書
【補正対象項目名】００１３
【補正方法】変更
【補正の内容】
【００１３】
即ち、請求項１記載の木質ペレット燃料燃焼装置は、燃焼室の燃焼部となる木質ペレット燃料燃焼装置の燃焼皿には、水平方向と垂直方向に繋がるスリット部を所定間隔に複数配置すると共に、前記スリット部を回転軸の外周面に凹凸を有する回転部材の凹凸部が、水平方向の水平スリットと垂直方向の垂直スリットを通過するものである。
【手続補正６】
【補正対象書類名】明細書
【補正対象項目名】００１４
【補正方法】変更
【補正の内容】
【００１４】
請求項２記載の木質ペレット燃料燃焼装置は、木質ペレット燃料を収納する燃料タンクと、燃料タンクから前記燃料を燃焼室の燃焼皿上に供給する燃料供給手段と、燃料供給手段から供給された前記燃料の燃焼部となる燃焼皿を備える燃焼室と、燃焼室からの燃焼風を機外に排出する排風部を備え、燃焼部には前記燃料の断続的な供給によって燃焼時に発生する灰を前記燃焼部から除去する灰除去手段を備える木質ペレット燃料燃焼装置であって、
燃焼皿には水平方向と垂直方向に繋がるスリット部を所定間隔に複数配置すると共に、前記灰除去手段は、回転軸の外周面に凹凸を有する回転部材の凹凸部が、少なくとも一面の水平方向の水平スリットと、少なくとも一面の垂直方向の垂直スリットの両スリットを通過することを特徴とするものである。
【手続補正７】
【補正対象書類名】明細書
【補正対象項目名】００１５
【補正方法】変更
【補正の内容】
【００１５】
請求項３記載の木質ペレット燃料燃焼装置は、請求項２記載の木質ペレット燃料燃焼装置において、灰の除去手段となる回転軸の外周面に凹凸を有する回転部材の凹凸部は燃焼皿の下方に備えられ、燃焼室からの燃焼風を機外に排出する排風部の作用によって燃焼室内に取り込まれる通風は、回転軸付近を通風して回転軸及び回転部材の凹凸部を冷却し、その後燃焼皿の水平方向の水平スリットと垂直方向の垂直スリットを通過するように構成したことを特徴とするものである。
【手続補正８】
【補正対象書類名】明細書
【補正対象項目名】００１６
【補正方法】変更
【補正の内容】
【００１６】
請求項４記載の木質ペレット燃料燃焼装置は、請求項３記載の木質ペレット燃料燃焼装置において、回転部材の凹凸部は、先に水平スリットを、次いで垂直スリットの順に通過するよう構成され、回転部材の凹凸部によって水平スリットと垂直スリットの交点方向に収集したスリット部を通過しない形状を有した固体灰を、水平スリットと垂直スリットと回転部材の凹凸部によって移動を固定し、後に回転部材の凹凸部の回転によって、固体灰を粉砕若しくは細断して燃焼皿上から落下させること特徴とするものである。
【手続補正９】
【補正対象書類名】明細書
【補正対象項目名】００１７
【補正方法】変更
【補正の内容】
【００１７】
請求項５記載の木質ペレット燃料燃焼装置は、請求項４記載の木質ペレット燃料燃焼装置において、回転部材の凹凸部は、先に垂直スリットを、続いて水平スリットに通過するよう回転軸を回転させ、燃焼皿に燃料供給手段から供給された木質ペレット燃料を一定時間攪燃焼させた後、回転部材の凹凸部が水平スリット、次いで垂直スリットを通過するように回転軸を逆転させて、固体灰を粉砕若しくは細断することを特徴とするものである。
【手続補正１０】
【補正対象書類名】明細書
【補正対象項目名】００１８
【補正方法】変更
【補正の内容】
【００１８】
請求項６記載の木質ペレット燃料燃焼装置は、請求項項１、２、３、４又は請求項５記載の木質ペレット燃料燃焼装置において、回転部材の凹凸部は、薄板状の外周面が円弧形状又は楕円形状であることを特徴とするものである。
【手続補正１１】
【補正対象書類名】明細書
【補正対象項目名】００１９
【補正方法】変更
【補正の内容】
【００１９】
請求項７記載の木質ペレット燃料燃焼装置は、請求項１、２、３、４、５又は請求項６記載の木質ペレット燃料燃焼装置において、水平方向の水平スリットと垂直方向の垂直スリットに繋がるスリット部を通過中の回転部材の凹凸部と各スリットとの隙間は略１．５ｍｍとしたことを特徴とするものである。
【手続補正１２】
【補正対象書類名】明細書
【補正対象項目名】００２０
【補正方法】変更
【補正の内容】
【００２０】
本発明に係る木質ペレット燃料燃焼装置によれは、灰を確実に燃焼部から除去できる灰除去手段の構成を一軸の回転駆動部としているので、灰除去手段の駆動構成を簡素化して故障要因を少なくし、またコストの低減に優れると共に、灰除去手段を吸引風を利用して冷却しているの、高温対応の素材またはその構成を必要としないのでコスト面にも優れた木質ペレット燃料燃焼装置を提供することが出来る。
【手続補正１３】
【補正対象書類名】明細書
【補正対象項目名】００２１
【補正方法】変更
【補正の内容】
【００２１】
本発明の木質ペレット燃料燃焼装置の実施の形態として、木質ペレットを燃料とするペレットストーブについて、以下に説明を行なう。
【手続補正１４】
【補正対象書類名】明細書
【補正対象項目名】００２２
【補正方法】変更
【補正の内容】
【００２２】
図１には、本発明に係る木質ペレット燃料燃焼装置を例示するペレットストーブの概略断面図。図２には本発明の木質ペレット燃料燃焼装置を例示するペレットストーブの燃焼部を示す概略斜視図。図３には本発明の木質ペレット燃料燃焼装置を例示するペレットストーブの燃焼部の概略断面図。図４は本発明の実施の形態の灰除去手段の詳細を示す概略断面図。図５は本発明の実施の形態の他例の灰除去手段の詳細を示す概略断面図。図６は木質ペレット燃料燃焼装置を例示するペレットストーブの燃焼部の詳細を示す概略断面図である。
【手続補正１５】
【補正対象書類名】明細書
【補正対象項目名】００５４
【補正方法】変更
【補正の内容】
【００５４】
本発明に係る木質ペレット燃料燃焼装置は主としてペレットストーブに有効な手段であるが、木質系以外のペレットも燃料として燃焼可能なペットボイラーにおいても有効な灰の除去手段であって、ペレットを使用する全ての燃焼装置に利用可能である。
【手続補正１６】
【補正対象書類名】明細書
【補正対象項目名】００５５
【補正方法】変更
【補正の内容】
【００５５】
【図１】本発明に係る木質ペレット燃料燃焼装置を例示するペレットストーブの概略断面図。
【図２】本発明の木質ペレット燃料燃焼装置を例示するペレットストーブの燃焼部を示す概略斜視図。
【図３】本発明の木質ペレット燃料燃焼装置を例示するペレットストーブの燃焼部の概略断面図。
【図４】本発明の実施の形態の灰除去手段の詳細を示す概略断面図。
【図５】本発明の実施の形態の他例の灰除去手段の詳細を示す概略断面図。
【図６】木質ペレット燃料燃焼装置を例示するペレットストーブの燃焼部の詳細を示す概略断面図。
【手続補正１７】
【補正対象書類名】明細書
【補正対象項目名】００３９
【補正方法】変更
【補正の内容】
【００３９】
燃焼箱３７の内部の回転軸４０の外周には、凹凸部３９を備えた回転部材３８が密着してはめ込まれているので、回転軸４０と回転部材３８は同一に回転するものであって、凹凸部３９は、繋がった水平スリットと垂直スリットの隙間内をスリットの側面に干渉しないようにスリットの配置に合わせて設けられているものである。なお、図２図３に示す凹凸部は、各スリット部１４に対して回転軸４０が１回転すると、各凹凸部も１回スリットに通過するように構成され、その凹凸部は互い違いに１８０°の角度を持って備えている状態を表している。図示はしていないが、各凹凸が重なり合わない角度を持って配置されると、スリットへの進入時間のズレが生じるのでギアモータ３０に加わる負荷が分散され、ギアモータ３０・軸受け４３の耐久性が増すのでよい。